(57)【要約】【課題】従来の文字変換技術において、例えばゲームなどの専用辞書を入手し文字変換辞書に登録したり、分野ごとの文字変換辞書を利用したりする場合、例えばゲーム数や分野数が多くなればなるほど辞書の収録文字数も増え、結果的に変換候補の選択に手間取ってしまうことになる、という課題がある。【解決手段】以上の課題を解決するために、本発明は、専門用号や造語など固有の単語表示を伴うアプリケーションごとに対応した文字変換辞書を複数保持し、アプリケーションの起動時にはそのアプリケーションに対応付けられた文字変換辞書を呼び出すよう構成された電子機器を提供する。【選択図】図２
2012053620.tif 000002
【特許請求の範囲】
【請求項１】
文書入力表示機能を含み固有の単語表示を伴って実行されるアプリケーションを読み込み可能な読込部と、
前記固有の単語の文字変換情報を含む文字変換辞書の全部または一部をそれぞれのアプリケーションに対応して複数保持する文字変換辞書保持部と、
前記文書入力表示機能が利用される場合に、そのアプリケーションに対応した文字変換辞書の全部又は一部を前記文字変換辞書保持部から呼びだして利用可能とする文字変換辞書呼出部と、
を有する電子機器。
【請求項２】
通信部と、
前記文字変換辞書保持部に通信部を介して文字変換辞書を取得して記録する文字変換辞書記録部と、をさらに有する請求項１に記載の電子機器。
【請求項３】
アプリケーションの文書入力表示機能を利用して作成された文書を、そのアプリケーションと同じアプリケーションを実行している他の電子機器に対して通信部を介して出力する出力部を有する請求項２に記載の電子機器。
【請求項４】
文書入力表示機能を含み固有の単語表示を伴って実行されるアプリケーションを読み込む読込ステップと、
前記固有の単語の文字変換情報を含む文字変換辞書の全部または一部をそれぞれのアプリケーションに対応して複数保持するために保持部に記録する文字変換辞書記録ステップと、
前記文書入力表示機能が利用される場合に、そのアプリケーションに対応した文字変換辞書の全部又は一部を保持部から呼びだして利用可能とする文字変換辞書呼出ステップと、
を有する電子機器の動作方法。
【発明の詳細な説明】
【技術分野】
【０００１】
本発明は、ゲームやその他のアプリケーションでの入力文字変換を効率的に行うための技術に関する。
【背景技術】
【０００２】
現在、ＰＣ（パーソナル・コンピュータ）や携帯電話、あるいはスマートフォンやゲーム機など各種端末にてオンライン／ソーシャルゲームやチャットクライアント、メールなどの文字入力が可能なアプリケーションを実行することができる。ところでその文字入力に関しては、例えばゲームであればそのゲーム特有の専門用語や造語、またチャットやメールであれば仲間内のみで通じるスラングなどがある。そこで、例えば「三国志」をモチーフとしたゲームであればその武将名や地名などの文字変換辞書データが一般公開されているので、そのデータを入手し自身の端末の文字変換辞書に登録することで当該ゲームでの文字入力／変換を容易かつ正確に行うことができる。
【０００３】
また下記特許文献１には、文字変換辞書に関して、例えば野球用辞書や特許用辞書という具合に分野ごとの辞書を保持しておき、装置の使用者のプロフィールや辞書の利用傾向などから導かれる属性カテゴリに対して適切な分野を選択し、その分野の文字変換辞書を提供する技術が開示されている。
【先行技術文献】
【特許文献】
【０００４】
【特許文献１】特開２０１０−０３９８４７号公報
【発明の概要】
【発明が解決しようとする課題】
【０００５】
しかし上記従来の技術には以下のような課題がある。すなわちゲームなどの専用辞書を入手し文字変換辞書に登録する場合、例えばゲーム数が多くなればなるほど辞書の収録文字数も増えるため、結果的に変換候補の選択に手間取ってしまうことになる、という課題である。
【０００６】
また、特許文献１の技術では、特許文書作成者が、たまに趣味の野球に関してネット上の掲示板などに記事を寄稿しようとしてもその野球専用辞書を改めて入手する必要がある、という課題がある。また、当然分野ごと辞書を複数入手すると、上記同様に辞書の収録文字数も増え変換候補の選択に手間取ってしまうことになる。
【課題を解決するための手段】
【０００７】
以上の課題を解決するために、本発明は、専門用号や造語など固有の単語表示を伴うアプリケーションごとに対応した文字変換辞書を複数保持し、アプリケーションの起動時にはそのアプリケーションに対応付けられた文字変換辞書を呼び出すよう構成された電子機器を提供する。具体的には、文書入力表示機能を含み固有の単語表示を伴って実行されるアプリケーションを読み込み可能な読込部と、前記固有の単語の文字変換情報を含む文字変換辞書の全部または一部をそれぞれのアプリケーションに対応して複数保持する文字変換辞書保持部と、前記文書入力表示機能が利用される場合に、そのアプリケーションに対応した文字変換辞書の全部又は一部を前記文字変換辞書保持部から呼びだして利用可能とする文字変換辞書呼出部と、を有する電子機器を提供する。
【０００８】
また、上記構成に加えて、通信部と、前記文字変換辞書保持部に通信部を介して文字変換辞書を取得して記録する文字変換辞書記録部と、をさらに有する電子機器も提供する。また、アプリケーションの文書入力表示機能を利用して作成された文書を、そのアプリケーションと同じアプリケーションを実行している他の電子機器に対して通信部を介して出力する出力部を有する電子機器も提供する。
【発明の効果】
【０００９】
以上のような構成をとる本発明によって、専門用号や造語など固有の単語表示を伴うアプリケーションの起動時にはそれに対応した文字変換辞書を呼び出すことができる。したがって、電子機器内にインストールされているアプリケーション数がどれほど多くなっても、当該アプリケーションへの文字入力時に、その入力文字の変換候補の選択を効率的に行うことができるようになる。
【図面の簡単な説明】
【００１０】
【図１】実施例１の電子機器における入力文字の変換処理の一例を表す図
【図２】実施例１の電子機器における機能ブロックの一例を表す図
【図３】実施例１の電子機器の文字変換辞書保持部で保持されている文字変換辞書の一例を表す概念図
【図４】実施例１の電子機器におけるハードウェア構成の一例を表す図
【図５】実施例１の電子機器における処理の流れの一例を表すフローチャート
【図６】実施例２の電子機器における機能ブロックの一例を表す図
【図７】実施例２の電子機器における処理の流れの一例を表すフローチャート
【図８】実施例３の電子機器における機能ブロックの一例を表す図
【図９】実施例３の電子機器における処理の流れの一例を表すフローチャート
【発明を実施するための形態】
【００１１】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、４について説明する。また、実施例２は、主に請求項２について説明する。また、実施例３は、主に請求項３について説明する。
【００１２】
≪実施例１≫
＜概要＞
図１は、本実施例の電子機器における入力文字の変換処理の一例を表す図である。この図１（ａ）にあるように、あるＰＣにてオンラインゲーム「日本書記」が起動されている。そして、ゲーム内のチャットウィンドウへの入力文字「あめのむらくも」の変換に関して、その変換候補としてその固有のアイテム名「天叢雲」が提示されている。一方、図１（ｂ）にあるように、同じＰＣで別のゲーム「古事記」を起動し「あめのむらくも」を入力すると、その変換候補として当該ゲームでの表示名である「天村雲」が提示されるが「天叢雲」は変換候補として表示されない、という具合である。
【００１３】
＜機能的構成＞
図２は、本実施例の電子機器における機能ブロックの一例を表す図である。なお、以下に記載する本電子機器の機能ブロックは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。
【００１４】
そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。
【００１５】
あるいは本電子機器の機能ブロックは専用ハードウェアによって実現されてもよい。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００１６】
そして、この図２にあるように、本実施例の「電子機器」（０２００）は、「読込部」（０２０１）と、「文字変換辞書保持部」（０２０２）と、「文字変換辞書呼出部」（０２０３）と、を有する。
【００１７】
「読込部」（０２０１）は、文書入力表示機能を含み固有の単語表示を伴って実行されるアプリケーションを読み込み可能であって、例えばＣＰＵや主メモリ、読込プログラムなどによって実現することができる。また、この「アプリケーション」としては、例えばメール用アプリケーションやチャット／メッセンジャー用アプリケーションなどが挙げられる。これらアプリケーションは他のユーザとのコミュニケーションに利用され、その際に特有の愛称やグループ内でのみ通用するようないわゆる「隠語」などが固有の単語として表示される可能性がある。
【００１８】
また、ゲームなどのアプリケーションであれば、ゲームごとに、その世界観に応じた人物名、地名、道具名やその固有の名称が存在する。そしてインターネットを利用した多人数参加型のゲームであれば、他のユーザと会話するためのチャットプログラムなどでそれら固有の単語が表示される可能性がある。
【００１９】
そして、この読込部では、例えばＨＤＤなどに記憶されているそれらアプリケーションのリストやアイコンなどを画面上に表示し、その表示されたリストやアイコンに対するユーザ入力に応じて指定されたアプリケーションを、主メモリなどに読み込み実行可能にする、という具合である。
【００２０】
「文字変換辞書保持部」（０２０２）は、前記固有の単語の文字変換情報を含む文字変換辞書の全部または一部をそれぞれのアプリケーションに対応して複数保持する機能を有し、例えばＨＤＤやフラッシュメモリなどの各種記録媒体によって実現することができる。
【００２１】
図３は、この文字変換辞書保持部で保持されている文字変換辞書の一例を表す概念図である。この図３（ａ）にあるように、各アプリケーションに対応する文字変換辞書を特定するため、例えばゲームアプリケーションα用の文字変換辞書を「１」とし、ゲームアプリケーションβ用の文字変換辞書を「２」として関連付けたテーブルデータが保持されている。そして図３（ｂ）にあるように例えば文字変換辞書１には「あめのむらくも」を「天叢雲」に、また「あまてらすおおみかみ」を「天照大神」とする文字変換情報が含まれている。また、さらに別の文字変換辞書２には「あめのむらくも」を「天村雲」に、また「あまてらすおおみかみ」を「アマテラス大神」とする文字変換情報が含まれている、という具合である。
【００２２】
「文字変換辞書呼出部」（０２０３）は、前記文書入力表示機能が利用される場合に、そのアプリケーションに対応した文字変換辞書の全部又は一部を前記文字変換辞書保持部から呼びだして利用可能とする機能を有し、例えばＣＰＵや主メモリ、文字変換辞書呼出プログラムなどによって実現することができる。具体的に、ユーザの操作入力に応じた読込部の処理によって「アプリケーションα」が主メモリに読み込まれる。すると、そのアプリケーションαの識別情報をキーとして、ＣＰＵの演算処理によって図３（ａ）に示すようなテーブルデータが検索され読み出すべき文字変換辞書が特定される。そして、特定された文字変換辞書が同じく主メモリに呼び出され、アプリケーションαでの文字入力に際しては汎用の変換辞書に加えて、あるいは替えてその文字変換辞書が参照される、という具合である。なお呼び出される文字変換辞書の特定や呼出タイミングなどは上記に限定されず、例えばアプリケーションで文字入力機能が起動されたタイミングや文字入力が為されたタイミングで、そのつど文字変換辞書の特定や呼出が実行される構成としても良い。
【００２３】
また、アプリケーション内の文字入力機能（例えばゲーム内のチャット機能など）が別途バージョンアップなどした場合に、アプリケーションの識別情報の替わりに文字入力機能のバージョン別ＩＤなどに応じて文字変換辞書が前述のようなテーブルデータなどで管理され呼び出される構成としても良い。
【００２４】
また、例えばゲームの１面、２面といった具合にアプリケーションごとに固有の文字が変わる場合など、そのシーンＩＤと関連付けて異なった文字変換辞書が保持部に保持され呼び出される構成としても良い。
【００２５】
以上のように本実施例の電子機器では、アプリケーションの読み込みに応じてそのアプリケーションに固有の単語（専門用号や造語など）に対応する文字変換辞書を呼び出すことができる。したがって当該アプリケーションへの文字入力時に、その入力文字の変換候補の選択を効率的に行うことができるようになる。
【００２６】
また、本実施例の電子機器はさらに以下のような構成を備えても良い。例えば、前記文字変換辞書保持部に保持されている複数の文字変換辞書に関し、そこに収録されている文字変換情報を比較する比較部と、その比較によって入力文字列及びその変換結果が同じ文字変換情報がある場合、その文字変換情報を汎用の（共通利用される）文字変換辞書に登録すると共に、アプリケーションごとの文字変換辞書から当該文字変換情報を削除する共通化部と、を有していてもよい。このようにして、アプリケーションごとに用意された文字変換辞書のデータサイズを適宜減らすことなどができる。
【００２７】
あるいは、例えば字変換辞書保持部に保持されている複数の文字変換辞書をＵＳＢメモリなどの外部の可搬型記憶媒体に出力する外部記憶媒体出力部を備えていても良い。これによって、例えば外出先の環境でもこの固有の文字表示などを含む文字変換辞書を利用することができる。
【００２８】
＜ハードウェア構成＞
図４は、上記機能的な各構成要件をハードウェアとして実現した際の、電子機器における構成の一例を表す概略図である。この図を利用して文字変換辞書の呼出処理におけるそれぞれのハードウェア構成部の働きについて説明する。
【００２９】
この図にあるように、電子機器は、読込部及び文字変換辞書呼出部であり、またその他の各種演算処理を実行するための「ＣＰＵ（中央演算装置）」（０４０１）と、「主メモリ」（０４０２）と、を備えている。また文字変換辞書保持部であり、その他の各種アプリケーションやデータを格納する「ＨＤＤ」（０４０３）や、ユーザからの文字入力やその他操作入力を受付ける「入力デバイス」（０４０４）、アプリケーションの文字入力機能を表示するための「ディスプレイ」（０４０５）も備えている。
【００３０】
また、「主メモリ」にはプログラムが読み出され、「ＣＰＵ」は読み出された当該プログラムを参照し、プログラムで示される手順に従い各種演算処理を実行する。また、この「主メモリ」や「ＨＤＤ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００３１】
ここで「入力デバイス」を利用したユーザ操作によって、例えばゲームアプリケーションαの起動命令が入力された。するとＣＰＵは読込プログラムを解釈し、その解釈結果にしたがって「ＨＤＤ」に保持されているアプリケーションαを「主メモリ」に読み込む。続いて「ＣＰＵ」は読み込んだアプリケーションαを解釈し、そのゲームを実行する。
【００３２】
また、それに合せて「ＣＰＵ」は文字変換辞書呼出プログラムを解釈し、その解釈結果にしたがって、ゲームアプリケーションαの識別情報をキーとして、図３（ａ）に示すようなテーブルデータの検索処理を実行する。そして、特定された「文字変換辞書１」を「ＨＤＤ」から「主メモリ」に呼び出す。また、通常利用される汎用の文字変換辞書があればそれも合せて主メモリに呼び出す処理を行っても良い。
【００３３】
その後、例えばゲーム内のチャット機能が実行され、「入力デバイス」を利用して「あめのむらくも」という文字列が入力され、変換キーがクリックされる。すると、「ＣＰＵ」は入力された文字列をキーとして（場合によっては形態素解析処理などにより単語ごとなど変換単位の特定処理を行い、その変換単位をキーとして）「主メモリ」の呼び出された「文字変換辞書１」の検索処理を実行する。
【００３４】
そして、この文字変換辞書１において「あめのむらくも」の文字変換情報として示されている「天叢雲」を変換候補の一つとして「ディスプレイ」上の変換候補ウィンドウなどに表示する。
【００３５】
このようにしてユーザは起動したアプリケーションに固有の文字表示であっても、それに応じた文字変換辞書が呼び出され利用されるため、容易に変換入力することができる、という具合である。
【００３６】
＜処理の流れ＞
図５は、本実施例の電子機器における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、固有の単語の文字変換情報を含む文字変換辞書の全部または一部をそれぞれのアプリケーションに対応して複数保持するために保持部に記録する（ステップＳ０５０１）。その後、例えばユーザの操作入力などに応じて、文書入力表示機能を含み固有の単語表示を伴って実行されるアプリケーションを主メモリなどに読み込み（ステップＳ０５０２）、実行可能とする。つづいて、前記アプリケーションの文書入力表示機能が利用される場合に、そのアプリケーションに対応した文字変換辞書の全部又は一部を、そのアプリケーションの識別情報をキーとする検索処理などで特定して保持部から呼び出し（ステップＳ０５０３）利用可能とする。
【００３７】
＜効果の簡単な説明＞
以上のように本実施例の電子機器では、アプリケーションの読み込みに応じてそのアプリケーションに固有の単語に対応する文字変換辞書を呼び出すことができる。したがって当該アプリケーションへの文字入力時に、その入力文字の変換候補の選択を効率的に行うことができるようになる。
【００３８】
≪実施例２≫
＜概要＞
本実施例は、上記実施例を基本として、インターネット通信などによってアプリケーションに対応する文字変換辞書を取得する構成をさらに備える電子機器である。
【００３９】
＜機能的構成＞
図６は、本実施例の電子機器における機能ブロックの一例を表す図である。この図にあるように、本実施例の「電子機器」（０６００）は、上記実施例を基本として、「読込部」（０６０１）と、「文字変換辞書保持部」（０６０２）と、「文字変換辞書呼出部」（０６０３）と、を有する。なお、これら構成要件については上記実施例にて記載済みであるのでその説明は省略する。そして、本実施例の「電子機器」の特徴点は、「通信部」（０６０４）と、「文字変換辞書記録部」（０６０５）と、をさらに有する点である。
【００４０】
「通信部」（０６０４）は、外部機器と通信を行う機能を有し、例えば赤外線通信などの近距離無線通信回路や、ＵＳＢなどの各種通信規格に沿った通信回路、インターネット通信回路などで実現することができる。
【００４１】
「文字変換辞書記録部」（０６０５）は、文字変換辞書保持部に通信部を介して文字変換辞書を取得して記録する機能を有し、例えばＣＰＵや主メモリ、記録媒体への書込ドライブ、文字変換辞書記録プログラムなどによって実現することができる。具体的には、例えばアプリケーションそのものやその文字入力機能がバージョンアップするたびに、そのバージョンアップに対応した文字変換辞書を、インターネット回線を介してサーバ装置からダウンロードし保持部に記録する、という具合である。
【００４２】
このようにして本実施例の電子機器では、適宜文字変換辞書を外部機器から取得し利用することができる。
【００４３】
＜処理の流れ＞
図７は、本実施例の電子機器における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、固有の単語の文字変換情報を含む文字変換辞書の全部または一部をそれぞれのアプリケーションに対応して複数保持するために、外部機器から通信にて取得する（ステップＳ０７０１）。そして取得した文字変換辞書を保持部に記録する（ステップＳ０７０２）。また、その後のアプリケーションやその文字入力機能の更新などに応じて、再度通信回路を介して文字変換辞書を取得して記録しても良い。
【００４４】
そして例えばユーザの操作入力などに応じて、文書入力表示機能を含み固有の単語表示を伴って実行されるアプリケーションを主メモリなどに読み込み（ステップＳ０７０３）、実行可能とする。つづいて、前記アプリケーションの文書入力表示機能が利用される場合に、そのアプリケーションに対応した文字変換辞書の全部又は一部を、そのアプリケーションの識別情報をキーとする検索処理などで特定して保持部から呼び出し（ステップＳ０７０４）利用可能とする。
【００４５】
＜効果の簡単な説明＞
以上のように本実施例の電子機器では、適宜文字変換辞書を外部機器から取得し利用することができる。
【００４６】
≪実施例３≫
＜概要＞
本実施例は、上記実施例を基本として、さらにアプリケーションがネットワークなどを介して他のユーザとコミュニケーションをとるためのものであって、固有文字表示を含みうる入力文字列をその他のユーザに対して出力する機能をさらに有する電子機器である。
【００４７】
＜機能的構成＞
図８は、本実施例の電子機器における機能ブロックの一例を表す図である。この図にあるように、本実施例の「電子機器」（０８００）は、上記実施例を基本として、「読込部」（０８０１）と、「文字変換辞書保持部」（０８０２）と、「文字変換辞書呼出部」（０８０３）と、を有する。また実施例２を基本として、図示しない「通信部」や「文字変換辞書記録部」などを有していてもよい。なお、これら構成要件については上記実施例にて記載済みであるのでその説明は省略する。そして、本実施例の「電子機器」の特徴点は、「出力部」（０８０４）をさらに有する点である。
【００４８】
「出力部」（０８０４）は、アプリケーションの文書入力表示機能を利用して作成された文書を、そのアプリケーションと同じアプリケーションを実行している他の電子機器に対して通信部を介して出力する機能を有し、例えばＣＰＵや主メモリ、出力プログラムなどで実現できる。具体的に、例えばアプリケーションなどがオンラインゲームやチャット／メッセンジャープログラムなどであれば、これらアプリケーションを実行している電子機器は所定のサーバ装置にアクセスし、同じく当該サーバ装置にアクセスしている同じアプリケーションを実行している他の電子機器とのセッションを確立する処理を実行する。そして、入力され変換された固有文字を含むなどの文字列を、そのセッションを確立した他の電子機器に対して出力し、当該他の電子機器上で表示させる、という具合である。
【００４９】
このようにして、本実施例の電子機器では固有文字が表示されうるアプリケーション同士で、通信を介してその固有文字を含む文字列でも容易に入力して会話を楽しむことができる。
【００５０】
＜処理の流れ＞
図９は、本実施例の電子機器における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、固有の単語の文字変換情報を含む文字変換辞書の全部または一部をそれぞれのアプリケーションに対応して複数保持するために保持部に記録する（ステップＳ０９０１）。その後、例えばユーザの操作入力などに応じて、文書入力表示機能を含み固有の単語表示を伴って実行されるアプリケーションを主メモリなどに読み込み（ステップＳ０９０２）、実行可能とする。また、そのアプリケーションで利用されるサーバ装置にインターネット回線などを介してアクセスし、同じくアクセスしている同じアプリケーションを実行している他の電子機器とのセッションを確立する（ステップＳ０９０３）。つづいて、前記アプリケーションの文書入力表示機能が利用される場合に、そのアプリケーションに対応した文字変換辞書の全部又は一部を、そのアプリケーションの識別情報をキーとする検索処理などで特定して保持部から呼び出し（ステップＳ０９０４）利用可能とする。そして、その呼び出された文字変換辞書を参照し変換入力された固有の文字表示を含みうる文字列を、前記セッションを確立した他の電子機器に対して送信し（ステップＳ０９０５）、他の電子機器ではその固有の文字表示を含みうる文字列を、自身が実行しているアプリケーションの文字表示機能で表示する。
【００５１】
＜効果の簡単な説明＞
以上のように本実施例の電子機器では、本実施例の電子機器では固有文字が表示されうるアプリケーション同士で、通信を介してその固有文字を含む文字列でも容易に入力して会話を楽しむことができる。
【符号の説明】
【００５２】
０２００  電子機器
０２０１  読込部
０２０２  文字変換辞書保持部
０２０３  文字変換辞書呼出部
【図１】
2012053620.tif 000003
【図２】
2012053620.tif 000004
【図３】
2012053620.tif 000005
【図４】
2012053620.tif 000006
【図５】
2012053620.tif 000007
【図６】
2012053620.tif 000008
【図７】
2012053620.tif 000009
【図８】
2012053620.tif 000010
【図９】
2012053620.tif 000011